(57)【要約】【課題】銅板で作られた端子を備える回転操作型スイッチにおいて、加締めやインサートによらずに、すべての端子を嵌込み方式でボディに組み付けることができるようにしてそれらの端子の組付け作業を容易に行う。【解決手段】第１端子５の取付片部５２をボディ１の端子保持孔部１５に嵌め込む。第２端子６をボディ１とは別体の端子ホルダー３１に固着することによって端子ユニット３を形成する。端子ユニット３を、取付片部５２と対向受面２３との間に圧入することにより、端子ホルダー３１の押圧部３５によって取付片部５２をボディ１の端子受面２２に押し付ける。押圧部３５にリブ３５ａを設ける。【選択図】        図４
2004164997.tif 000002
【特許請求の範囲】
【請求項１】
回転操作される接触板を介して導通状態と非導通状態とに切り換えられる電極を各別に備えた第１端子及び第２端子の集合でなる端子群を備え、その端子群が相手方コネクタに接続されるようになっている回転操作型スイッチにおいて、
第１端子に具備された取付片部がボディに具備された端子保持孔部に嵌め込まれ、かつ、その取付片部に具備された係止爪とその第１端子の上記電極とが上記端子保持孔部の孔縁部を挾んでその端子保持孔部からの取付片部の抜出しを阻止しており、
上記第２端子を上記ボディとは別体の端子ホルダーに固着してなる端子ユニットが上記ボディに組み込まれ、その端子ホルダーに具備された押圧部により、上記第１端子の上記取付片部がボディに具備された端子受面に押し付けられてその第１端子がボディに固定されていることを特徴とする回転操作型スイッチ。
【請求項２】
上記端子ホルダーは、一側面に上記押圧部が具備され、その一側面の反対側に位置する他側面に上記第２端子が重ね合わされていると共に、上記端子ユニットが上記端子受面に重なり合った上記取付片部とその端子受面との対向箇所に位置して上記ボディに設けられている対向受面との間で挟まれることにより、上記第１端子の取付片部が上記押圧部と上記端子受面との間で挾圧され、かつ、上記第２端子が上記端子ホルダーの他側面と上記対向受面との間で挾圧されている請求項１に記載した回転操作型スイッチ。
【請求項３】
上記ボディが上記第１端子及び上記第２端子を収容するソケット部を有し、上記端子ユニットがそのソケット部の開放端からそのソケット部の内部空間を通して上記取付片部と上記対向受面との間に挿入されている請求項２に記載した回転操作型スイッチ。
【請求項４】
上記ボディに、上記取付片部と上記対向受面との間に挿入される上記端子ユニットの挿入限界位置を規制して上記第２端子の電極が上記第１端子の電極に並ぶように位置決めする端子ユニット位置決め手段が備わり、かつ、上記接触板をそれらの第１及び第２の端子の各電極に弾接させるばね体を備えている請求項３に記載した回転操作型スイッチ。
【請求項５】
上記端子受面と上記対向受面とが、上記ボディの底壁に形成された貫通孔の孔壁面によって形成されている請求項１ないし請求項４のいずれかに記載した回転操作型スイッチ。
【請求項６】
上記係止爪が板片状に形成された上記取付片部の幅方向両側に突出していると共に、その取付片部の係止爪突出箇所を挿通可能なスリット状の幅広孔部が上記端子保持孔部に連続して付設されており、上記押圧部が、上記端子ホルダーに具備された凹入部によってその凹入部の外側に形作られた突片でなり、その突片が上記幅広孔部に挿入されている請求項３ないし請求項５のいずれか１項に記載した回転操作型スイッチ。
【請求項７】
上記押圧部が、上記取付片部の長手方向に長いリブを備え、そのリブの頂部がその取付片部に当接してその取付片部を上記端子受面に押し付けている請求項１ないし請求項６のいずれか１項に記載した回転操作型スイッチ。
【請求項８】
複数の上記端子とそれらの電極とが銅板で製作されている請求項１ないし請求項７のいずれか１項に記載した回転操作型スイッチ。
【発明の詳細な説明】
【０００１】
【発明の属する技術分野】
本発明は、回転操作型スイッチ、特に電極を有する端子が嵌込み方式でボディに組み付けられている回転操作型スイッチに関する。
【０００２】
【従来の技術】
この種の回転操作型スイッチは、たとえば車載用空調装置の風量調節を行うブローファンスイッチとして使われており、電路に流れる電流が２０〜３０Ａというものであるために、電極を備える端子の材料に純銅を使用することによって発熱を抑えるようにしている。
【０００３】
図１１は従来の回転操作型スイッチの分解斜視図、図１２は電極配列を示した説明図、図１３は端子保持孔部１５への端子組込み手順を示した説明図、図１４は端子取付部構造の断面図、図１５は回転操作型スイッチの外観斜視図である。
【０００４】
図１１のように従来の回転操作型スイッチは、合成樹脂成形体でなる矩形箱形のボディ１が四角筒状のソケット部１２を有し、ボディ１に組み付けられた端子群４がソケット部１２の内部空間に収容されて相手方コネクタに対し接続可能となっている。同図で判るように、端子群４は、幅広電極５１を備えた所要数（図例では１つ）の第１端子５とその他の第２端子６との集合でなり、第２端子６には、幅広電極６１ａを備えた所要数（図例では２つ）の端子６ａと幅狭電極６１を備えた所要数（図例では４つ）の端子とが含まれている。そして、それらの第２端子６，６ａのそれぞれが第１端子５と対の端子を形成している。そして、端子群４をボディ１に組み付けた状態では、図１２のように、第１端子５の幅広電極５１と第２端子６，６ａの幅狭電極６１及び幅広電極６１ａとが円環状に並んで配列されている。また、円環状に配列されているそれらの電極５１，６１，６１ａには図１１に示した接触板７１が重なり状に配備され、この接触板７１が正方向又は逆方向に回転操作されると、その接触板７１に備わっている対の接点部７２，７３が、第１端子５の電極５１といずれかの第２端子６，６ａの電極６１，６１ａとに接触してそれらが接触板７１を介して短絡される。なお、図１２には、接触板７１の回転に伴う対の接点部７２，７３の移動路を一点鎖線ａ，ｂで表示してある。
【０００５】
また、ボディ１には図１２に示したボス１３が備わっていて、操作軸７４の下端がそのボス１３によって回転自在に位置決めされる。そして、操作軸７４に上記接触板７１が嵌合保持されると共に、操作軸７１に固着されたロータ７５に装備されるばね体７６によって、接触板７１が上記電極５１，６１，６１ａに弾圧する方向に常時弾発付勢される。さらに、ボディ１には金属製のカバーフレーム７７が装着され、そのカバーフレーム７７の孔部７８に上記操作軸７４が挿通される。カバーフレーム７７の裏面側には円環状に並んだ凹凸部８１が備わっていて、この凹凸部８１に、上記ロータ７５の孔部８２にばね体８３を介して配備されたピン部材８４が臨んでいる。
【０００６】
したがって、回転操作軸７４を手動で回転操作すると、ピン部材８４が凹凸部８１を移動することによりスイッチ切換え感触が得られ、しかも、ばね体７６により弾発付勢されている接触板７１を介し幅広電極５１がその幅広電極５１と対をなす幅広電極６１ａ又は幅狭電極６１に導通して所定の電路が形成される。なお、図１１のように、ロータ７５には周方向の２箇所に段付状の当り面７５ａ，７５ｂが備わっていて、これらの当り面７５ａ，７５ｂのいずれかがカバーフレーム７７に設けられている突起（不図示）に係合することによって操作軸７４の回転操作角度が規制されるようになっている。
【０００７】
この回転操作型スイッチでは、幅広電極５１を備える第１端子５、幅狭電極６１を備える第２端子６及び幅広電極６１ａを備える第２端子６ａが銅板に打抜き加工や曲げ加工などを施すことによって製作されていて、それらの各端子５，６，６ａが銅製であるために２０〜３０Ａ程度の電流が流れたときの発熱が抑制される。
【０００８】
このような従来の回転操作型スイッチにおいて、幅狭電極６１を有する第２端子６は図１２〜図１４を参照して次に説明する構造でボディ１に組み付けられている。
【０００９】
図１３又は図１４に示したように、第２端子６は、その第２端子６の幅方向両側に突出する係止爪６３を備えた取付片部６２を有している。これに対し、ボディ１の底壁１４にはスリット状の端子保持孔部１５が備わり、この端子保持孔部１５の横幅Ｗは、係止爪６３を含めた取付片部６２の横幅Ｗ１よりも狭いけれども、係止爪６３を含めない取付片部６２の横幅Ｗ２よりもやゝ広くなっている。また、図１３のように、端子保持孔部１５にはスリット状の幅広孔部１６が連続して付設されていて、この幅広孔部１６の横幅Ｗ３は係止爪６３を含めた取付片部６２の横幅Ｗ１よりもやゝ広くなっている。そして、端子保持孔部１５と幅広孔部１６とが端子取付部１８を形成している。この構成の下で第２端子６をボディ１に組み付けるときには、ボディ１の上方から幅広孔部１６に取付片部６２を挿通させた後、その取付片部６２の位置を図１３矢印のようにずらして取付片部６２を端子保持孔部１５に嵌め込むという作業を行うことによって、図１４のように取付片部６１の係止爪６３と幅狭電極６１とによって端子保持孔部１５の孔縁部１５ａを挾み、それによって第２端子６の仮位置決めと端子保持孔部１５からの取付片部６２の抜出し阻止とを図るようにしている。これと同様な組付け構造が、幅広端子５１を有する第１端子５や幅広端子６１ａを有する第２端子６ａについても採用されている。
【００１０】
この組付け構造を採用した場合、幅広電極５１を有する第１端子５や幅広電極６１ａを有する第２端子６ａについては、それらの幅広電極５１，６１ａと端子保持孔部１５の孔縁部１５ａとの接触幅が比較的広く確保されるため、仮位置決め状態であっても第１端子５にそれほど大きなぐらつきが生じない。しかし、幅狭電極６１を有する第２端子６については、幅狭電極６１と端子保持孔部１５の孔縁部１５ａとの接触幅Ｗ４（図１４参照）が狭くなるため、仮位置決め状態の第２端子６がぐらつきやすい。
【００１１】
そこで、従来は、図１１に示したロックプレートと呼ばれるスペーサ９を、図１２に示した幅広電極５１を有する第１端子５の取付片部５２及び幅広電極６１ａを有する第２端子６ａの取付片部６２ａと、幅狭電極６１を有する第２端子６との間のスペースＳに圧入状態で嵌め込むことによってそれらの取付片部５２，６２ａをボディ１側に設けられている受面（不図示）に押し付けるようにしていた。また、スペーサ９を上記スペースＳに圧入状態で嵌め込むと、幅狭電極６１を有する第２端子６の取付片部６２も、ボディ１側に設けられている他の受面（不図示）に押し付られる。
【００１２】
ところで、特許文献２として掲げた先行例１には、コネクタ付き切り換えスイッチにおいて、端子を形成している導電片を加締めてボディを形成している絶縁部材に固着することが記載されている。
【００１３】
また、特許文献２として掲げた先行例２及び特許文献３として掲げた先行例３には、ロータリースイッチにおいて、端子を、ボディを形成している合成樹脂製のコネクタ部にインサートして固着することが記載されている。
【００１４】
【特許文献１】
特許第２５０００２７号公報
【特許文献２】
特開平８−３２９７７号公報
【特許文献３】
特開平１０−３３４７６７号公報
【００１５】
【発明が解決しようとする課題】
図１１〜図１５で説明した構造を備える回転型操作スイッチは、端子群４を形成している第１端子５や第２端子６，６ａが端子取付部１８に対する嵌込み方式でボディ１に組み付けられているので、個々の端子５，６，６ａを加締めたりボディ１にインサートする必要がない。そのため、それらの端子５，６，６ａに曲げ強度のそれほど大きくない銅板が用いられていても、個々の端子５，６，６ａを端子取付部１８に組み付けることが容易である。しかし、図例のように多くの端子５，６，６ａを個々の端子取付部１８に配備して仮位置決めする作業が面倒であり、また、仮位置決め状態でぐらつきのある多くの端子５，６，６ａの間のスペースＳ（図１２参照）にスペーサ９を押し込んで圧入する作業は熟練者にとっても煩わしく、長時間を要するものであった。
【００１６】
これに対し、上掲の先行例１ではボディに端子を固定する手段として加締めを採用しているので、図１１のスペーサ９のような部品を用いずに端子をボディにがたつきなく強固に固定することが可能であるけれども、端子自体に容易に曲がったりすることのない性質が要求されるため、図１１〜図１５を参照した説明した従来例のように、端子５，６，６ａがそれほどの大きな曲げ強度を備えていない銅板で製作されているものについては、先行例１に見られる加締めを採用してそれらの端子５，６，６ａをボディにぐらつきなく強固に固定することはできない。先行例２や先行例３のように端子をボディにインサートするものでは高度の成形技術が要求されるため、それだけコスト高になる。
【００１７】
本発明は、以上の状況に鑑みてなされたもので、加締めやインサートによらずに端子を嵌込み方式でボディに組み付けることができるものでありながら、従来に比べてそれらの端子の組付け作業を容易に短時間で行うことのできる回転操作型スイッチを提供することを目的とする。
【００１８】
また、本発明は、複数の端子のうちの一部をユニット化することと併せて従来のスペーサを省略することのできる回転操作型スイッチを提供することを目的とする。
【００１９】
【課題を解決するための手段】
本発明に係る回転操作型スイッチは、回転操作される接触板を介して導通状態と非導通状態とに切り換えられる電極を各別に備えた第１端子及び第２端子の集合でなる端子群を備え、その端子群が相手方コネクタに接続されるようになっている。
【００２０】
そして、第１端子に具備された取付片部がボディに具備された端子保持孔部に嵌め込まれ、かつ、その取付片部に具備された係止爪とその第１端子の上記電極とが上記端子保持孔部の孔縁部を挾んでその端子保持孔部からの取付片部の抜出しを阻止しており、上記第２端子を上記ボディとは別体の端子ホルダーに固着してなる端子ユニットが上記ボディに組み込まれ、その端子ホルダーに具備された押圧部により、上記第１端子の上記取付片部がボディに具備された端子受面に押し付けられてその第１端子がボディに固定されている。
【００２１】
この構成であれば、端子ホルダーの押圧部が端子保持孔部に嵌め込まれた第１端子の取付片部をボディの端子受面に押し付けて固定しているので、第１端子にぐらつきが生じない。また、第２端子は、端子ホルダーに固着されているので、その第２端子が端子ホルダーに対してがたつくことがない。したがって、端子ユニットをボディに組み込むだけで、第１端子と第２端子とがぐらつきのない状態でボディに組み付けられる。また、第１端子はボディに嵌込み方式で組み込まれ、端子ユニットもボディに嵌込み方式で組み込まれるので、端子に大きな曲げ強度が要求されることはない。さらに、ボディはそれ単独で成形することが可能であるので、端子をインサートする場合のように高度な成形技術が要求されない。
【００２２】
本発明において、上記端子ホルダーは、一側面に上記押圧部が具備され、その一側面の反対側に位置する他側面に上記第２端子が重ね合わされていると共に、上記端子ユニットが上記端子受面に重なり合った上記取付片部とその端子受面との対向箇所に位置して上記ボディに設けられている対向受面との間で挟まれることにより、上記第１端子の取付片部が上記押圧部と上記端子受面との間で挾圧され、かつ、上記第２端子が上記端子ホルダーの他側面と上記対向受面との間で挾圧されていることが望ましい。この構成であれば、第１端子と第２端子との両方がボディに対してぐらつきなく組み付けられる。そして、この組付け状態は、図１１又は図１２で説明したスペーサ９を用いる場合に類似した状態になるため、スペーサを用いることなく第１端子と第２端子とがボディにぐらつきなく組み付けられるようになる。
【００２３】
本発明では、上記ボディが上記第１端子及び上記第２端子を収容するソケット部を有し、上記端子ユニットがそのソケット部の開放端からそのソケット部の内部空間を通して上記取付片部と上記対向受面との間に挿入されていることが望ましい。これによれば、端子ユニットをソケット部の内部空間を通して押し込むだけで容易にボディに組み付けられる。
【００２４】
本発明では、上記ボディに、上記取付片部と上記対向受面との間に挿入される上記端子ユニットの挿入限界位置を規制して上記第２端子の電極が上記第１端子の電極に並ぶように位置決めする端子ユニット位置決め手段が備わり、かつ、上記接触板をそれらの第１及び第２の端子の各電極に弾接させるばね体を備えていることが望ましい。この構成であれば、端子ユニットをソケット部の内部空間に押し込む操作を行うだけで、端子ユニット位置決め手段により第２端子の電極が第１端子の電極に並ぶように位置決めされ、しかも、接触板がばね体の付勢によって第１及び第２の端子の各電極に弾接するので、接触板と各端子の電極との接触安定性が向上する。
【００２５】
本発明では、上記端子受面と上記対向受面とが、上記ボディの底壁に形成された貫通孔の孔壁面によって形成されていることが望ましい。これによれば、端子ユニットが圧入状態で第１端子の取付片部とボディの対向受面との間に挿入されるとしても、端子受面と対向受面とがボディの底壁に形成された貫通孔の孔壁面によって形成されているために、特別に受圧部材を設けなくても、圧入に伴ってボディ側に加わる力で第１端子の取付片部とボディの対向受面との間隔が拡がるという事態が起こりにくい。したがって構造の複雑化を生じずに端子ユニットの圧入状態が長期間に亘って維持され、第１端子や第２端子のぐらつきが長期に亘って防止されて回転操作型スイッチの性能安定性が高まる。
【００２６】
本発明では、上記係止爪が板片状に形成された上記取付片部の幅方向両側に突出していると共に、その取付片部の係止爪突出箇所を挿通可能なスリット状の幅広孔部が上記端子保持孔部に連続して付設されており、上記押圧部が、上記端子ホルダーに具備された凹入部によってその凹入部の外側に形作られた突片でなり、その突片が上記幅広孔部に挿入されていることが望ましい。これによれば、取付片部に対する押圧部の押圧箇所が端子保持孔部内に位置するようになるので、それだけ回転操作型スイッチを薄形化ないし小形化しやすくなる。また、第１端子をボディに仮位置決めするときには、係止爪を有する取付片部を幅広孔部に挿入した後、その位置をずらして端子保持孔部に嵌め込むことができるため、第１端子をボディに組み込みやすい。
【００２７】
本発明では、上記押圧部が、上記取付片部の長手方向に長いリブを備え、そのリブの頂部がその取付片部に当接してその取付片部を上記端子受面に押し付けていることが望ましい。これによれば、押圧部の押圧力がリブを介して取付片部に有効に加わるようになる。また、端子ユニットの圧入作業を行いやすくなる。
【００２８】
本発明では、複数の上記端子とそれらの電極とが銅板で製作されているものであってもよい。この構成であれば、銅板の性質によって端子や電極の発熱が抑制される。また、端子や電極が銅板であっても、上記のようにそれらがすべて嵌込み方式でボディにぐらつきなく組み付けられる。
【００２９】
【発明の実施の形態】
図１はボディ１の平面図、図２は図１のＩＩ−ＩＩ線に沿う部分の断面図、図３は電極配列を示した説明図、図４は第１端子５及び第２端子６と端子ユニット３とが組み付けられたボディ１の断面図、図５は図４の拡大Ｖ矢視図、図６は端子ホルダー３１の斜視図、図７は幅狭電極６１を有する第２端子６の斜視図、図８は端子ユニット３の正面図、図９は図６のＩＸ矢視図、図１０は図８のＸ−Ｘ線に沿う部分の断面図である。なお、図１〜図１０においては、図１１〜図１５で説明した部分と同一又は相応する部分に同一の符号を付すことにする。
【００３０】
この実施形態の回転操作型スイッチは、図１１で説明した端子群４を形成している第１端子５や第２端子６，６ａに相応する数の端子を備え、第１端子５や第２端子６，６ａのそれぞれに備わっている幅広電極５１，幅狭電極６１、幅広電極６１ａが図３のように配列されていて、同図に一点鎖線で示した移動路を、図１１で説明した接触板７１の対の接点部７２，７３が移動する。この回転操作型スイッチは、図１１に示したものと同じ構成の操作軸７４、接触板７１、ロータ７５、ばね体７６、ピン８４、ばね体８３、カバーフレーム７７を備えている。したがって、スイッチ切り換えのための操作は図１１の従来例と同様に行われる。また、端子群４を形成している第１端子５や第２端子６，６ａは銅板で製作されている点でも従来例と同様である。
【００３１】
図１又は図２のように、ボディ１は矩形の底壁１４とその底壁１４から立ち上がった側壁１７とを備え、底壁１４にボス１３と横に並んだ所要数（図例では３つ）の端子取付部１８と、それらの端子取付部１８の近傍箇所に位置する略横長矩形の貫通孔１９とが備わっている。そして、それぞれの端子保持孔部１８は、スリット状の端子保持孔部１５とその端子保持孔部１５に付設されたスリット状の幅広孔部１６とでなる。所要数の端子取付部１８の端子保持孔部１５や幅広孔部１６の横幅の寸法関係は、図１２で説明した幅広電極５１を有する第１端子５や幅広電極６１ａを有する第２端子６ａを組み付けるための横に並んだ３つの端子取付部１８のそれらと同じ関係になっている。また、ボディ１には矩形筒形の筒状のソケット部１２が備わり、そのソケット部１２の側壁面の下端から上記貫通孔１９の側壁面に至る範囲にガイド溝２１が備わっている。
【００３２】
図３、図４又は図５に示した幅広電極５１を有する第１端子５は、その第１端子５の幅方向両側に突出する係止爪５３を備えた取付片部５２を有している。そして、図１に示した中央の端子取付部１８の端子保持孔部１５にその取付片部５２が上方から嵌め込まれ、かつ、その取付片部５２の係止爪５３とその第１端子５の幅広電極５１とが端子保持孔部１５の孔縁部１５ａを挾んで仮位置決めすることにより、その端子保持孔部１５からの取付片部５２の抜出しを阻止している。図３に示した幅広電極６１ａを有する第２端子６ａについても同様の構成で図１に示した両側の端子取付部１８，１８の端子保持孔部１５，１５に仮位置決めされて、それらの端子保持孔部１５，１５からの取付片部６２ａ，６２ａの抜出しが阻止されている。
【００３３】
次に、図６〜図９を参照して端子ユニット３を説明する。端子ユニット３は、図６に示した合成樹脂成形体でなる端子ホルダー３１と幅狭電極６１を有する第２端子６とでなる。図６又は図９のように、端子ホルダー３１は平面視略横長矩形に形成されていて、その一側面３３側に凹入部３４を具備させることによってその凹入部３４の外側複数箇所に上向きの突起を形作っており、それらの突起を押圧部３５としてあり、しかも、それらの押圧部３５に上下に長いリブ３５ａが備わっている。一方、図７のように第２端子６は幅狭電極６１と取付片６４とを有している。そして、図８又は図１０のように、第２端子６は、その取付片６４を端子ホルダー３１の他側面３６に形成された孔部３２に圧入して係止させることによりその他側面３６に重なり状に固着され、しかも、幅狭電極６１が端子ホルダー３１の上面に重ね合わされている。図例では、４つの第２端子６が平面視略横長矩形の端子ホルダー３１に横に並べて固着されている。さらに、端子ホルダー３１にはその左右両側に係止片３７が設けられていると共に、その横方向一側に凸部３８が備わっている。
【００３４】
端子ユニット３は、その凸部３８を図２に示したソケット部１２のガイド溝２１に嵌合させてそのガイド溝２１の上端に当たる位置までスライドさせることにより、そのソケット部１２の開放端から内部空間を通して上記貫通孔１９に圧入状に挿入される。この操作により、第２端子６の幅狭電極６１が第１端子５の幅広電極５１や第２端子６ａの幅広電極６１ａに並ぶように位置決めされると共に、図４又は図５のように押圧部３５が端子取付部１８の幅広孔部１６に挿入される。また、図３、図４又は図５のように、端子ホルダー３１の複数の押圧部３５が、第１端子５の取付片部５２及び幅広電極６２ａを有する第２端子６ａの取付片部６２ａを、それらの取付片部５２，６２ａを支えるためにボディ１に具備された端子受面２２に各別に押し付ける。しかも、端子ユニット３の複数の第２端子６が、上記端子受面２２との対向箇所に位置してボディ１に設けられている対向受面２３に押し付けられる。言い換えると、第１端子５の取付片部５２や幅広電極６１ａを有する第２端子６ａの取付片部６２ａが押圧部３５と端子受面２２との間で挾圧され、幅狭電極６１を有する第２端子６が端子ホルダー３１の他側面３６と対向受面２３との間で挾圧される。このため、第１端子５及びすべての第２端子６，６ａがぐらつきなくボディ１に組み付けられる。
【００３５】
この実施形態では、図２のように端子受面２２と対向受面２３とがボディ１の底壁１４に形成した貫通孔１９の孔壁面によって形成されている。そのため、端子ユニット３が、それらの端子受面２２の前側に配備されて仮位置決めされている第１端子５や第２端子６ａと対向受面２３との間に分け入る状態で圧入されても、その圧入に伴ってボディ側に加わる力で第１端子５や第２端子６ａと対向受面２３との間隔が拡がるという事態が起こりにくいという利点がある。また、押圧部３５のリブ３５ａが第１端子５や第２端子６ａの各取付片部５２，６２ａを押し付けるために端子ホルダー３を圧入しやすいという利点もある。
。
【００３６】
【発明の効果】
以上のように、本発明によれば、加締めやインサートによらずに、また、従来のスペーサを用いずに、端子群を形成しているすべての端子を嵌込み方式でボディに組み付けることができるものでありながら、従来に比べてそれらの端子の組付け作業を容易に短時間で行うことができるようになる。
【図面の簡単な説明】
【図１】本発明の実施形態に係るボディ１の平面図である。
【図２】図１のＩＩ−ＩＩ線に沿う部分の断面図である。
【図３】電極配列を示した説明図である。
【図４】第１端子及び第２端子と端子ユニットとが組み付けられたボディの断面図である。
【図５】図４の拡大Ｖ矢視図である。
【図６】端子ホルダーの斜視図である。
【図７】幅狭電極を有する第２端子の斜視図である。
【図８】端子ユニットの正面図である。
【図９】図６のＩＸ矢視図である。
【図１０】図８のＸ−Ｘ線に沿う部分の断面図である。
【図１１】従来の回転操作型スイッチの分解斜視図である。
【図１２】電極配列を示した説明図である。
【図１３】端子保持孔部への端子組込み手順を示した説明図である。
【図１４】端子取付部構造の断面図である。
【図１５】回転操作型スイッチの外観斜視図である。
【符号の説明】
１  ボディ
３  端子ユニット
４  端子群
５  第１端子
６  第２端子
１２  ソケット部
１４  ボディの底壁
１５  端子保持孔部
１５ａ  端子保持孔部の孔縁部
１６  幅広孔部
１９  貫通孔
２２  端子受面
２３  対向受面
３１  端子ホルダー
３３  端子ホルダーの一側面
３４  凹入部
３５  押圧部
３５ａ  リブ
３６  端子ホルダーの他側面
５１  電極（幅広電極）
５２  取付片部
５３  係止爪
７１  接触板
【図１】
2004164997.tif 000003
【図２】
2004164997.tif 000004
【図３】
2004164997.tif 000005
【図４】
2004164997.tif 000006
【図５】
2004164997.tif 000007
【図６】
2004164997.tif 000008
【図７】
2004164997.tif 000009
【図８】
2004164997.tif 000010
【図９】
2004164997.tif 000011
【図１０】
2004164997.tif 000012
【図１１】
2004164997.tif 000013
【図１２】
2004164997.tif 000014
【図１３】
2004164997.tif 000015
【図１４】
2004164997.tif 000016
【図１５】
2004164997.tif 000017